(57)【特許請求の範囲】
【請求項１】
通信する画像データをバックアップ可能な通信端末装置において、プログラム領域と画像データバックアップ領域の前記両領域を所持するフラッシュメモリと、電源が通電状態時に画像データを蓄積するＤＲＡＭなどの第２のメモリと、電源電圧の変化を検出する手段と、前記電源電圧変化検出手段で電源電圧の変化が検出された時に画像データを前記第２のメモリから前記フラッシュメモリに画像を転送する画像データ転送手段を有し、
前記画像データバックアップ領域を超える画像データが、受信により前記第２のメモリに蓄積されたときに、該画像データの通信先を保持することを特徴とした通信端末装置。
【請求項２】
前記請求項１の通信端末装置において、前記フラッシュメモリがプログラム領域と画像データバックアップ領域それぞれ別のフラッシュメモリを用いて行うことを特徴とする通信端末装置。
【請求項３】
前記請求項１の通信端末装置において、電源をＯＮした時に、バックアップできなかった通信先を、オペレータに警告することを特徴とした通信端末装置。
【請求項４】
通信する画像データをバックアップ可能な通信端末装置において、プログラム領域と画像データバックアップ領域の前記両領域を所持するフラッシュメモリと、電源が通電状態時に画像データを蓄積するＤＲＡＭなどの第２のメモリと、電源電圧の変化を検出する手段と、前記電源電圧変化検出手段で電源電圧の変化が検出された時に画像データを前記第２のメモリから前記フラッシュメモリに画像を転送する画像データ転送手段を有し、
前記画像データバックアップ領域を超える画像データが、受信により前記第２のメモリに蓄積されたときに、該画像データの受信をエラー終了させることを特徴とした通信端末装置。
【請求項５】
前記請求項１の通信端末装置において、前記画像データバックアップ領域を超える画像データが、受信により前記第２のメモリに蓄積されたときに、該画像データの通信先を保持するか、該画像データの受信をエラー終了させるか選択できることを特徴とした通信端末装置。
【請求項６】
前記請求項１の通信端末装置において、電源をＯＮした時に、前記フラッシュメモリに画像データがバックアップされているか検出し、画像データがバックアップされていれば、前記第２のメモリに画像データを前記フラッシュメモリから転送し、前記フラッシュメモリの画像データがバックアップされていた領域のデータを消去することを特徴とした通信端末装置。
【発明の詳細な説明】
【０００１】
【発明の属する技術分野】
本発明は通信端末装置に関し、特に受信した画像データをバックアップ可能な通信端末装置に関する。
【０００２】
【従来の技術】
従来の通信端末装置において、受信した画像データのバックアップは、電源ＯＦＦ時にＤＲＡＭの電源を２次電池に切り替えて、受信した画像データのバックアップを行っていた。
【０００３】
または、フラシュメモリのみを用いて行っていた。
【０００４】
【発明が解決しようとする課題】
しかしながら、上記従来の通信端末装置において、バックアップ回路が２次電池等を使用し高価になるという欠点を有していた。
【０００５】
また、フラシュメモリのみを用いて行うと、フラシュメモリの消去回数が寿命に影響を及ぼすという欠点を有していた。
【０００６】
【課題を解決するための手段】
本願発明の請求項１によれば、通信する画像データをバックアップ可能な通信端末装置において、プログラム領域と画像データバックアップ領域の前記両領域を所持するフラッシュメモリと、電源が通電状態時に画像データを蓄積するＤＲＡＭなどの第２のメモリと、電源電圧の変化を検出する手段と、前記電源電圧変化検出手段で電源電圧の変化が検出された時に画像データを前記第２のメモリから前記フラッシュメモリに画像を転送する画像データ転送手段を有し、前記画像データバックアップ領域を超える画像データが、受信により前記第２のメモリに蓄積されたときに、該画像データの通信先を保持する。
【０００７】
本願発明の請求項４によれば、通信する画像データをバックアップ可能な通信端末装置において、プログラム領域と画像データバックアップ領域の前記両領域を所持するフラッシュメモリと、電源が通電状態時に画像データを蓄積するＤＲＡＭなどの第２のメモリと、電源電圧の変化を検出する手段と、前記電源電圧変化検出手段で電源電圧の変化が検出された時に画像データを前記第２のメモリから前記フラッシュメモリに画像を転送する画像データ転送手段を有し、前記画像データバックアップ領域を超える画像データが、受信により前記第２のメモリに蓄積されたときに、該画像データの受信をエラー終了させる。
【００１３】
【発明の実施の形態】
以下、添付の図面を参照して本発明の実施形態を詳述する。
【００１４】
図１は、本実施形態による通信端末装置の概略構成を示すブッロク図である。
【００１５】
同図において１は、表示部であり、制御部５の制御により、当該装置の状態や時刻情報等の表示をする表示部である。
【００１６】
２はフラッシュメモリであり制御部５を制御するプログラムやオペレーターメッセージ等のためのデータが格納されるブロックと、電源ＯＦＦ時にＤＲＡＭに蓄積された画像データのバックアップ領域として使用するブロックを所持する。
【００１７】
３は、ＤＲＡＭであり、オペレータにより設定可能なデータや通信により受信した画像データ等を格納する。
【００１８】
４は、当該データ処理端末装置の操作及び各種の情報を入力するための操作部であり、複数のキー入力スイッチ及びキー入力スイッチの操作回路等により構成されている。
【００１９】
５は、当該装置全体の制御を行う制御部（ＣＰＵ）であり、フラッシュメモリ２に格納されている制御プログラムに従って各種の制御動作を実行する。
【００２０】
６は、原稿を読み取る読取部である。
【００２１】
７は、画像データの記録を行う記録部である。
【００２２】
８は、画像データなどを通信用のフォーマットに制御したり、通信回線１０との接続を行うためのハード回路等より構成される通信部である。
【００２３】
９は、バックアップ制御部であり、電源ＯＦＦ時の状態を検出しＤＲＡＭ内に蓄積された画像データをフラッシュメモリの画像データバックアップ領域に転送する制御を行う。また、フラッシュメモリの画像データバックアップ領域とＤＲＡＭ内に蓄積された画像データ量を比較し、画像データがフラッシュメモリの画像データバックアップ領域を超えたときは、オペレータに警告等を行ったり、フラッシュメモリの画像データバックアップ領域を超えた画像の通信をエラー終了させたりの制御を行う。
【００２４】
１０は、通信端末装置。
【００２５】
１１は、通信回線。
【００２６】
図２は、本実施形態によるバックアップ制御部９の概略構成を示すブロック図である。
【００２７】
１２は、前記１０の通信装置の電源電圧の状態を検出する電源電圧検出手段である。
【００２８】
１３は、転送手段であり、前記１２の電源電圧検出手段で検出した装置の状態により、電源がＯＦＦ状態への移行ならば、前記３のＤＲＡＭより前記２のフラッシュメモリに画像データを転送する。また、電源がＯＮ状態への移行ならば、前記２のフラッシュメモリより前記３のＤＲＡＭに画像データを転送する。
【００２９】
１４は、前記２のフラッシュメモリの画像データバックアップ領域を超える画像データが、前記３のＤＲＡＭに蓄積されたかを比較する比較手段。
【００３０】
１５は、前記１４の比較手段で比較した結果が、前記２のフラッシュメモリの画像データバックアップ領域よりも大きな画像データを受信した場合、現在通信中の通信先を保持する通信先保持手段である。
【００３１】
１６は、警告手段であり、前記１４の比較手段で比較した結果が、前記２のフラッシュメモリの画像データバックアップ領域よりも大きな画像データを受信していた場合は、オペレータに警告を行う。また、前記状態で電源ＯＦＦ状態に移行し、バックアップできなかった画像データが存在した状態で電源が立ち上がった場合もオペレータに警告を行う。
【００３２】
１７は、強制終了手段であり、前記１４の比較手段で比較した結果が、前記２のフラッシュメモリの画像データバックアップ領域よりも大きな画像データを受信した場合は、現在の通信を強制的にエラー終了させる。
【００３３】
１８は、選択手段であり、前記２のフラッシュメモリの画像データバックアップ領域よりも大きな画像データを受信した時に、その通信相手を保持しその通信を継続させるか、強制的にその通信をエラー終了させるかを選択する。
【００３４】
１９は、消去手段であり、電源ＯＮ時に、前記２のフラッシュメモリにバックアップデータが存在するときに、前記１３の、転送手段でバックアップデータを前記２のフラッシュメモリより前記３のＤＲＡＭに画像データを転送後、前記２のフラッシュメモリの画像データバックアップ領域部のデータを消去する。
【００３５】
図３は、本実施形態の構成を示す受信動作時にの第１のフローチャートである。
【００３６】
本実施形態は、前記２のフラッシュメモリの画像データバックアップ領域を超える画像データが、前記３のＤＲＡＭに蓄積された時に、その状態の通信先を保持しバックアップ状態に移行する実施例である。
【００３７】
ステップ１０１で、受信した画像データをＤＲＡＭに蓄積する。
【００３８】
ステップ１０２で、１０の通信端末装置が記録動作可能状態であれば、ステップ１１０でプリント動作を行ない終了する。ステップ１０２で、１０の通信端末装置が記録動作が不可能な状態のときは、ステップ１０３で、フラッシュメモリの画像データバックアップ領域よりも大きな画像データを受信したか確認する。画像データバックアップ領域よりも小さな画像データを受信した場合は、ステップ１０４で、電源の遮断状態を検出する。電源が遮断状態でなければステップ１０２に移行する。また、ステップ１０４で、電源が遮断状態に移行したことを検出したときはステップ１０５で、ＤＲＡＭの画像データをフラッシュメモリに転送し、ステップ１１２で、電源がＯＦＦ状態となり終了する
ステップ１０３で、フラッシュメモリの画像データバックアップ領域よりも大きな画像データを受信した場合は、その時点で、ステップ１０６で、現在通信中の相手先を保存する。
【００３９】
ステップ１０７で、バックアップできる画像データ領域を越えたことをオペレータに警告動作を行う。ステップ１０８で、記録動作可能状態か検出し、記録動作可能であればステップ１１０でプリント動作を行ない終了する。ステップ１０８で、記録動作可能状態でなければ、ステップ１０９で、電源の遮断状態を検出する。電源が遮断状態でなければステップ１０８に移行する。また、ステップ１０９で、電源が遮断状態に移行したことを検出したときはステップ１１１で、ＤＲＡＭの画像データとバックアップできなかった通信先情報をフラッシュメモリに転送し、ステップ１１２で、電源がＯＦＦ状態となり終了する。
【００４０】
図４は、本実施形態の構成を示す受信動作時の第２のフローチャートである。
【００４１】
本実施形態は、前記２のフラッシュメモリの画像データバックアップ領域を超える画像データが、前記３のＤＲＡＭに蓄積された時に、その通信をエラー終了させる実施例である。
【００４２】
ステップ２０１で、受信した画像データをＤＲＡＭに蓄積する。
【００４３】
ステップ２０２で、１０の通信端末装置が記録動作可能状態であれば、ステップ２１０でプリント動作を行ない終了する。ステップ２０２で、１０の通信端末装置が記録動作が不可能な状態のときは、ステップ２０３で、フラッシュメモリの画像データバックアップ領域よりも大きな画像データを受信したか確認する。画像データバックアップ領域よりも小さな画像データを受信した場合は、ステップ２１１で、電源の遮断状態を検出する。電源が遮断状態でなければステップ２０２に移行する。また、ステップ２０４で、電源が遮断状態に移行したことを検出したときはステップ２０８で、ＤＲＡＭの画像データをフラッシュメモリに転送し、ステップ２０９で、電源がＯＦＦ状態となり終了する。
【００４４】
ステップ２０３で、フラッシュメモリの画像データバックアップ領域よりも大きな画像データを受信した場合は、その時点で、ステップ２０４で、現在の通信をエラー終了させる。
【００４５】
ステップ２０５で、バックアップできる画像データ領域を越えたことをオペレータに警告動作を行う。ステップ２０６で、記録動作可能状態か検出し、記録動作可能であればステップ２１０でプリント動作を行ない終了する。ステップ２０６で、記録動作可能状態でなければ、ステップ２０７で、電源の遮断状態を検出する。電源が遮断状態でなければステップ２０６に移行する。また、ステップ２０７で、電源が遮断状態に移行したことを検出したときはステップ２０８で、ＤＲＡＭの画像データをフラッシュメモリに転送し、ステップ２０９で、電源がＯＦＦ状態となり終了する
図５は、本実施形態の構成を示す電源ＯＮ時の第３のフローチャートである。
【００４６】
ステップ３０１で、フラッシュメモリに画像データが蓄積されているか検出し、画像データがなければ、ステップ３０４でスタンバイ動作に移行し終了する。画像データが蓄積されていれば、ステップ３０２で、フラッシュメモリの画像データをＤＲＡＭに転送し、転送後フラッシュメモリの画像データバックアップ領域を消去する。
【００４７】
ステップ３０３で、バックアップ時にフラッシュメモリの画像データバックアップ領域以上の画像データがあったか検出し、バックアップした画像データがフラッシュメモリの画像データバックアップ領域以内でであれば、ステップ３０４で、スタンバイ動作に移行し終了する。ステップ３０３で、バックアップした画像データがフラッシュメモリの画像データバックアップ領域を超えていた場合は、ステップ３０５で、消去された画像データの，送信先をオペレータに告知し、ステップ３０４で、スタンバイ動作に移行し終了する。
【００４８】
【発明の効果】
以上説明したように、本発明によれば、安価なバックアップシステムが構築でき、また、信頼性の向上もはかれる。
【図面の簡単な説明】
【図１】本実施形態による通信装置の概略構成を示すブロック図。
【図２】本実施形態によるバックアップ制御部９の概略構成を示すブロック図。
【図３】本実施形態の構成を示すフローチャート１。
【図４】本実施形態の構成を示すフローチャート２。
【図５】本実施形態の構成を示すフローチャート３。
【符号の説明】
１  表示部
２  フラッシュメモリ
３  ＤＲＡＭ
４  操作部
５  制御部
６  読取部
７  記録部
８  通信部
９  バックアップ制御部
１０  通信端末装置
１１  通信回線
１２  電源電圧検出手段
１３  転送手段
１４  比較手段
１５  通信先保持手段
１６  警告手段
１７  強制終了手段
１８  選択手段
１９  消去手段
【図１】
0003689665.tif 000002
【図２】
0003689665.tif 000003
【図３】
0003689665.tif 000004
【図４】
0003689665.tif 000005
【図５】
0003689665.tif 000006